(57)【要約】【課題】光信号の波長調整に要する時間の増大を抑制する。【解決手段】本発明の光トランシーバは、出力する光信号の波長が温度に応じて変動するレーザ光源と、レーザ光源の温度調整を行う温度調整部と、光信号を受信する受信部と、予め定められた強度の光信号をレーザ光源に出力させるとともに、レーザ光源の温度が、レーザ光源から予め定められた波長の光信号が出力される温度である目標温度となるように、温度調整部に温度調整を行わせる制御部と、を有し、制御部は、波長調整を行う旨が入力されると、受信部による光信号の受信強度と予め定められた強度とを比較し、比較結果が光信号の受信強度と予め定められた強度とが一致する旨を示すものとなるまで温度調整部に温度調整を行わせ、光信号の受信強度と予め定められた強度とが一致する際のレーザ光源の温度を目標温度として設定する。【選択図】図１
2014017755.tif 000002
【特許請求の範囲】
【請求項１】
光信号の送受信を行う光トランシーバであって、
出力する光信号の波長が温度に応じて変動するレーザ光源と、
前記レーザ光源の温度調整を行う温度調整部と、
前記光信号を受信する受信部と、
予め定められた強度の光信号を前記レーザ光源に出力させるとともに、前記レーザ光源の温度が、前記レーザ光源から予め定められた波長の光信号が出力される温度である目標温度となるように、前記温度調整部に温度調整を行わせる制御部と、を有し、
前記制御部は、波長調整を行う旨が入力されると、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定することを特徴とする光トランシーバ。
【請求項２】
請求項１記載の光トランシーバにおいて、
前記受信部は、前記光トランシーバの外部に設けられ、前記レーザ光源から出力される光信号を前記予め定められた波長の光信号を透過させるフィルタを介して受信することを特徴とする光トランシーバ。
【請求項３】
出力する光信号の波長が温度に応じて変動するレーザ光源と、前記レーザ光源の温度調整を行う温度調整部と、を有し、予め定められた強度の光信号を前記レーザ光源から出力し、前記レーザ光源の温度が目標温度となるように前記温度調整部により温度調整を行う光トランシーバにおける前記レーザ光源から出力される光信号の波長調整方法であって、
受信部が、前記レーザ光源から出力される光信号を予め定められた波長の光信号を透過させるフィルタを介して受信し、
制御部が、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定することを特徴とする波長調整方法。
【発明の詳細な説明】
【技術分野】
【０００１】
本発明は、光信号の送受信を行う光トランシーバおよび波長調整方法に関する。
【背景技術】
【０００２】
光コアネットワークあるいは光メトロネットワークなどの光通信システムにおける通信方式として、波長の異なる複数の光信号を多重化し、１本の光ファイバケーブルを介して伝送するＷＤＮ（Ｗａｖｅｌｅｎｇｔｈ  Ｄｉｖｉｓｉｏｎ  Ｍｕｌｔｉｐｌｅｘｉｎｇ）方式がある。ＷＤＭ方式によれば、多重する光信号の数が多いほど、伝送効率が高くなり、大容量のデータ伝送が可能となる。
【０００３】
ＷＤＭ方式において多重される光信号の波長は、国際通信連合の電気通信標準化部門であるＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）により規定されており、波長グリッドと称される。ＩＴＵ−Ｔ  Ｇ．６９４．１では、１００ＧＨｚ間隔で４０波長チャネル分、５０ＧＨｚ間隔で８０波長チャネル分、２５ＧＨｚ間隔で１６０波長チャネル分が定義されている。
【０００４】
ＷＤＭ方式が適用される光通信システムにおいて光信号の送受信を行う光トランシーバは、波長グリッドで定義された一定の波長の光信号を出力する必要がある。ここで、光トランシーバの光源としては、通常、半導体レーザが用いられるが、半導体レーザの光学特性は温度に依存するため、出力される光信号の波長が一定に保たれるように半導体レーザの温度調整を行う必要がある。
【０００５】
図８は、半導体レーザの温度調整機能を有する光トランシーバの構成を示すブロック図である。
【０００６】
図８に示す光トランシーバ８００は、半導体レーザダイオード（ＬＤ：Ｌａｓｅｒ  Ｄｉｏｄｅ）８０１と、ＬＤ駆動部８０２と、モニタフォトダイオード（ＭＰＤ：Ｍｏｎｉｔｏｒ  Ｐｈｏｔｏ  Ｄｉｏｄｅ）８０３と、温度調整部８０４と、温度検出部８０５と、メイン制御部８０６と、パワー制御部８０７と、温度制御部８０８と、受信部８０９と、を有する。
【０００７】
ＬＤ８０１は、ＬＤ駆動部８０２から電流の供給を受けて、光信号（レーザ光）を出力する。
【０００８】
ＬＤ駆動部８０２は、パワー制御部８０７の制御に従い、ＬＤ８０１に電流を供給する。
【０００９】
ＭＰＤ８０３は、ＬＤ８０１から出力される光信号の強度を検出し、検出した強度に応じた電流値の電流信号をパワー制御部８０７に出力する。
【００１０】
温度調整部８０４は、温度制御部８０８の制御に従い、ＬＤ８０１の温度調整を行う。
【００１１】
温度検出部８０５は、ＬＤ８０１の温度を検出し、検出した温度を示す温度信号を温度制御部８０８に出力する。
【００１２】
メイン制御部８０６は、図８においては不図示の外部ＣＰＵ（Ｃｅｎｔｒａｌ  Ｐｒｏｃｅｓｓｉｎｇ  Ｕｎｉｔ）やＰＣ（Ｐｅｒｓｏｎａｌ  Ｃｏｍｐｕｔｅｒ）から、光信号の設定波長および設定強度が入力され、設定強度をパワー制御部８０７に通知し、設定波長を温度制御部１０８に通知する。
【００１３】
パワー制御部８０７は、ＭＰＤ８０３から出力される電流信号に応じて、ＬＤ８０１から出力される光信号の強度が設定強度となるように、ＬＤ駆動部８０２からＬＤ８０１への電流供給を制御する。
【００１４】
温度制御部８０８は、ＬＤ１０１から出力される光信号の波長が設定波長となるＬＤ１０１の温度である目標温度が設定され、温度検出部８０５から出力される温度信号に基づき、ＬＤ８０１の温度が目標温度となるように温度調整部８０４にＬＤ８０１の温度調整を行わせる。
【００１５】
受信部８０９は、他の光トランシーバから光信号を受信する。
【００１６】
光トランシーバ８００においては、温度検出部８０５により検出されたＬＤ８０１の温度に応じて、ＬＤ８０１の温度を目標温度に保つように温度調整が行われるため、光信号の波長を一定に保つことができる。
【００１７】
ここで、光トランシーバの初期動作時には、ＬＤ８０１から出力される光信号の波長が設定波長となる目標温度を設定する必要がある。また、経年変化などによりＬＤ８０１の光学特性が変化し、同じ温度でも出力される光信号の波長が変わってしまうことがある。そのため、出力される光信号の波長が一定に保たれるように、目標温度を設定し直し、光信号の波長調整を行う必要がある。
【００１８】
光信号の波長調整時には、通常、図９に示すように、光トランシーバ８００から出力される光信号の波長を、スペクトルアナライザや波長計と称される専用の測定器９００で測定しながら、光信号の波長が所望の波長となるようにＬＤの温度を変化させるということが行われていた。
【００１９】
一般に、上述したような測定器９００は、非常に高額であるため、測定器９００を用いた波長調整は、コスト増を招いてしまう。また、波長グリッドで定義される波長間の幅は、０．４ｎｍ、０．８ｎｍといった１ｎｍ以下の狭い幅である。そのため、測定器９００で出力される光信号の波長を測定しながら光信号の波長が所望の波長となるようにＬＤの温度調整を行うには、非常に時間がかかる。
【００２０】
そこで、特許文献１（特開２００８−５３９６６号公報）には、専用の測定器などを用いずに、光信号の波長調整を簡易に行うための技術が開示されている。
【００２１】
特許文献１に開示の技術においては、ＬＤの温度を設定可能な範囲全域にわたってΔＴずつ増加させながら、各温度においてＬＤから出力された光信号を、予め設定された波長の光信号だけを透過させるフィルタを透過させた後に受信部で受信し、受信強度が極大となった時点のＬＤの温度を目標温度として設定する。
【００２２】
フィルタを透過した光の受信強度が極大となるということは、光トランシーバから出力された光信号の波長が、フィルタが透過させる光信号の波長に近いと考えられる。特許文献１に開示の技術によれば、フィルタが透過させる光の波長を光トランシーバが出力すべき光信号の波長に設定するだけで、専用の測定器を用いることなく、波長調整を簡易に行うことができる。
【先行技術文献】
【特許文献】
【００２３】
【特許文献１】特開２００８−５３９６６号公報
【発明の概要】
【発明が解決しようとする課題】
【００２４】
上述したように、波長グリッドで規定される波長間の幅は非常に狭い。そのため、特許文献１に開示の技術においては、光トランシーバから出力される光信号の波長が波長グリッドで規定される波長に厳密に一致するように波長調整を行うためには、温度の上げ幅ΔＴの値を小さくし、ＬＤの温度の変更と、フィルタを透過した光の受信強度の検出と、を数多く繰り返す必要がある。通常、ＬＤの温度が安定するまでには時間が掛かるため、ＬＤの温度をΔＴずつ変更するたびに、ＬＤの温度が安定するまで待つ必要があり、ＬＤの温度の変更と、フィルタを透過した光の受信強度の検出と、を数多く繰り返すことで、波長調整に時間がかかってしまうという問題がある。
【００２５】
本発明の目的は、光信号の波長調整に要する時間の増大を抑制することができる光トランシーバおよび波長調整方法を提供することにある。
【課題を解決するための手段】
【００２６】
上記目的を達成するために本発明の光トランシーバは、
光信号の送受信を行う光トランシーバであって、
出力する光信号の波長が温度に応じて変動するレーザ光源と、
前記レーザ光源の温度調整を行う温度調整部と、
前記光信号を受信する受信部と、
予め定められた強度の光信号を前記レーザ光源に出力させるとともに、前記レーザ光源の温度が、前記レーザ光源から予め定められた波長の光信号が出力される温度である目標温度となるように、前記温度調整部に温度調整を行わせる制御部と、を有し、
前記制御部は、波長調整を行う旨が入力されると、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定する。
【００２７】
上記目的を達成するために本発明の波長調整方法は、
出力する光信号の波長が温度に応じて変動するレーザ光源と、前記レーザ光源の温度調整を行う温度調整部と、を有し、予め定められた強度の光信号を前記レーザ光源から出力し、前記レーザ光源の温度が目標温度となるように前記温度調整部により温度調整を行う光トランシーバで行われる、前記レーザ光源から出力される光信号の波長調整方法であって、
受信部が、前記レーザ光源から出力される光信号を予め定められた波長の光信号を透過させるフィルタを介して受信し、
制御部が、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定する。
【発明の効果】
【００２８】
本発明によれば、光信号の波長調整に要する時間の増大を抑制することができる。
【図面の簡単な説明】
【００２９】
【図１】本発明の一実施形態の光トランシーバの構成を示すブロック図である。
【図２】半導体レーザの一般的な光学特性を示す図である。
【図３】図１に示す受信部による光信号の受信強度と受信モニタ電流との関係を示す図である。
【図４】図１に示す光トランシーバにおけるＬＤの波長調整時の状態を示す図である。
【図５】図１に示すＬＤの発振波長と受信部による光信号の受信強度との関係を示す図である。
【図６】図１に示すＬＤの発振波長と受信部により光信号の受信強度との関係を示す図である。
【図７】図１に示すＬＤの発振波長と受信モニタ電流の電流値との関係を示す図である。
【図８】関連する光トランシーバの構成を示すブロック図である。
【図９】図８に示す光トランシーバにおけるＬＤの波長調整時の状態を示す図である。
【発明を実施するための形態】
【００３０】
以下に、本発明を実施するための形態について図面を参照して説明する。
【００３１】
図１は、本発明の一実施形態の光トランシーバ１００の構成を示すブロック図である。
【００３２】
図１に示す光トランシーバ１００は、半導体レーザダイオード（ＬＤ）１０１と、ＬＤ駆動部１０２と、モニタフォトダイオード（ＭＰＤ）１０３と、温度調整部１０４と、温度検出部１０５と、受信部１０６と、受信モニタ電流検出部１０７と、メイン制御部１０８と、パワー制御部１０９と、温度制御部１１０と、を有する。メイン制御部１０８、パワー制御部１０９および温度制御部１１０は、制御部を構成する。ＬＤ１０１は、レーザ光源の一例である。
【００３３】
ＬＤ１０１は、ＬＤ駆動部１０２から電流の供給を受けて、光信号（レーザ光）を出力する。ＬＤ１０１としては、ファブリペローレーザや分布帰還型レーザなどが用いられる。
【００３４】
図２は、ＬＤの温度に応じた光学特性を示す図である。図２において、横軸はＬＤの温度（レーザ温度）を示し、縦軸はＬＤから出力される光信号の波長（発振波長）を示す。
【００３５】
図２に示すように、ＬＤの温度を上げると、光信号の波長は長波長側にシフトし、温度を下げると、光信号の波長は短波長側にシフトする。ファブリペローレーザにおいては、約０．４ｎｍ／℃の割合でシフトし、分布帰還型レーザにおいては、約０．１ｎｍ／℃の割合でシフトする。
【００３６】
再び、図１を参照すると、ＬＤ駆動部１０２は、パワー制御部１０９の制御に従い、ＬＤ１０１に電流を供給する。
【００３７】
ＭＰＤ１０３は、ＬＤ１０１から出力される光信号の強度を検出し、検出した強度に応じた電流値の電流信号をパワー制御部１０９に出力する。検出された強度が大きいほど、電流信号の電流値は大きくなり、検出された強度が小さいほど、電流信号の電流値は小さくなる。
【００３８】
温度調整部１０４は、温度制御部１１０の制御に従い、ＬＤ１０１の温度調整を行う。なお、温度調整部１０４としては、ペルチェ素子などの汎用の熱電素子が用いられる。
【００３９】
温度検出部１０５は、ＬＤ１０１の温度を検出し、検出した温度を示す温度信号を温度制御部１１０に出力する。
【００４０】
受信部１０６は、光トランシーバ１００の外部から入力された光信号を受信し、受信した光信号を電気信号に変換した受信モニタ電流を受信モニタ電流検出部１０７に出力する。
【００４１】
図３は、受信部１０６による光信号の受信強度と受信モニタ電流の電流値との関係を示す図である。図３において、横軸は受信部１０６による光信号の受信強度を示す、横軸は受信部１０６から出力される受信モニタ電流の電流値を示す。
【００４２】
図３に示すように、受信強度が大きいほど、受信モニタ電流の電流値は大きくなり、受信強度が小さいほど、受信モニタ電流の電流値は小さくなる。
【００４３】
再び、図１を参照すると、受信モニタ電流検出部１０７は、受信モニタ電流をモニタし、デジタル信号に変換してメイン制御部１０８に出力する。
【００４４】
メイン制御部１０８は、図１においては不図示の外部ＣＰＵやＰＣなどから、光信号の設定波長および設定強度が入力され、設定強度をパワー制御部１０９に通知し、設定波長を温度制御部１１０に通知する。ここで、設定波長は、波長グリッドで定義される波長である。
【００４５】
また、メイン制御部１０８は、波長調整を行う旨が入力されると、受信モニタ電流検出部１０７からの出力に応じて、ＬＤ１０１の温度の増減を温度制御部１１０に指示する。
【００４６】
パワー制御部１０９は、ＭＰＤ１０３から出力される電流信号に応じて、ＬＤ１０１から出力される光信号の強度が設定強度となるように、ＬＤ駆動部１０２からＬＤ１０１への電流供給を制御する。
【００４７】
温度制御部１１０は、ＬＤ１０１から設定波長の光信号が出力されるＬＤ１０１の温度である目標温度が設定され、温度検出部１０５から出力される温度信号に基づき、ＬＤ１０１の温度が目標温度となるように温度調整部１０４に温度調整を行わせる。また、温度制御部１１０は、波長調整時には、メイン制御部１０８の指示に従い、温度調整部１０４にＬＤ１０１の温度を増減させる。
【００４８】
上述したように、光トランシーバ１００の初期動作時には、ＬＤ１０１から出力される光信号の波長が設定波長となる目標温度を温度制御部１１０に設定する必要がある。また、経年変化などによりＬＤ１０１の光学特性が変化し、同じ温度でも出力される光信号の波長が変わってしまうことがある。そのため、ＬＤ１０１から出力される光信号の波長が一定に保たれるように、目標温度を設定し直し、波長調整を行う必要がある。
【００４９】
光信号の波長調整時には、波長調整を行う旨がメイン制御部１０８に入力される。また、図４に示すように、ＬＤ１０１から出力された光信号は、光信号を伝達するケーブルである光パッチコード４０１を経由して、光トランシーバ１００の外部に設けられた光学フィルタ４００に入力される。光学フィルタ４００を透過した光信号は、光パッチコード４０２を経由し、受信部１０６により受信される。
【００５０】
ここで、光学フィルタ４００は、設定波長とその前後のＩＴＵ−Ｔで規定される波長幅（以下、波長グリッド幅と称する）の波長の光信号だけを透過させ、その他の波長の光信号は遮断するという特性を有する光学部品である。
【００５１】
以下では、波長調整時の動作について説明する。
【００５２】
波長調整時には、設定波長λｐと設定強度Ｐ１とが入力される。パワー制御部１０９により、光信号の出力強度の制御が行われ、温度制御部１１０により、光信号の波長の制御が行われる。以下では、光信号の出力強度の制御と、光信号の波長の制御と、を分けて説明する。
【００５３】
まず、光信号の出力強度の制御について説明する。
【００５４】
パワー制御部１０９は、ＬＤ１０１から設定強度Ｐ１で光信号が出力される電流をＬＤ駆動部１０２にＬＤ１０１へ供給させる。
【００５５】
ＬＤ１０１は、ＬＤ駆動部１０２からの電流供給を受けて、光信号を出力する。ＭＰＤ１０３は、ＬＤ１０１から出力される光信号の強度を検出し、検出した光信号の強度に応じた電流値の電流信号をパワー制御部１０９に出力する。
【００５６】
パワー制御部１０９は、ＬＤ駆動部１０２に、電流信号の電流値に応じた光信号の強度が、設定強度Ｐ１よりも小さい場合には、ＬＤ１０１への供給電流の電流値を大きくさせ、設定強度Ｐ１よりも大きい場合には、ＬＤ１０１への供給電流の電流値を小さくさせる。このように、ＬＤ１０１への電流供給の制御が行われ、ＬＤ１０１から設定強度Ｐ１で光信号が出力される。
【００５７】
次に、光信号の波長の制御について説明する。
【００５８】
上述したように、波長調整時には、ＬＤ１０１から出力された光信号は、波長λｐとその前後の波長グリッド幅（波長λ１〜波長λ２）の波長の光信号のみを透過させる光学フィルタ４００に入力される。
【００５９】
ＬＤ１０１から設定強度Ｐ１で光信号が出力され、その光信号の波長調整が適切に行われている場合には、図５に示すように、フィルタ４００を透過し、受信部１０６が受信する光の強度（透過強度）は、Ｐ１となる。なお、波長グリッド幅は、１ｎｍ以下の非常に狭い範囲である。そのため、ＬＤ１０１から出力される光信号の波長に設定波長λｐとのずれがある場合には、フィルタ４００を透過し、受信部１０６が受信する光の強度は、図６に示すように、Ｐ１よりも低いＰ２となる。
【００６０】
受信部１０６は、フィルタ４００を透過した光信号を受信し、受信した光信号を電気信号に変換した受信モニタ電流を受信モニタ電流検出部１０７に出力する。
【００６１】
図７は、ＬＤ１０１から出力される光信号の波長と受信モニタ電流の電流値との関係を示す図である。図７において、横軸はＬＤ１０１から出力される光信号の波長を示し、縦軸は受信モニタ電流の電流値を示す。
【００６２】
上述したように、フィルタ４００は、波長λｐとその前後の波長グリッド幅の波長の光信号のみを透過させる。また、受信部１０６による光信号の受信強度が大きいほど、受信モニタ電流の電流値は大きくなり、受信強度が小さいほど、受信モニタ電流の電流値は小さくなる。したがって、受信モニタ電流の電流値は、図７に示すように、ＬＤ１０１から出力される光信号の波長がλｐである場合に最大となり、λｐからずれるほど小さくなる。
【００６３】
受信モニタ電流検出部１０７は、受信モニタ電流をデジタル信号に変換してメイン制御部１０８に出力する。ここで、受信モニタ電流検出部１０７が出力するデジタル信号は、受信モニタ電流の電流値に応じたコードが割り当てられている。したがって、受信モニタ電流検出部１０７が出力するデジタル信号は、例えば、受信モニタ電流の電流値が「０マイクロアンペア（μＡ）」である場合には、「００ｈ（１６進コード）」となり、受信モニタ電流の電流値が「５００μＡ」である場合には、「８０ｈ」となり、受信モニタ電流の電流値が「１０００μＡ」である場合には、「ｆｆｈ」となる。つまり、受信部１０６による光信号の受信強度に応じて、出力されるコードは決まる。
【００６４】
なお、本実施形態においては、受信部１０６は、光信号の受信強度に応じた電流値の受信モニタ電流を出力し、受信モニタ電流検出部１０７は、受信モニタ電流の電流値に応じたデジタル信号を出力する例を用いて説明するが、これに限られるものではない。受信部１０６は、光信号の受信強度に応じた電圧値の電圧信号を出力し、受信モニタ電流検出部１０７は、電圧信号の電圧値に応じたデジタル信号を出力するようにしてもよい。
【００６５】
以下では、受信部１０６による光信号の受信強度がＰ１である場合に、電流値Ｉ１の受信モニタ電流が出力されるものとする。また、受信モニタ電流の電流値がＩ１である場合に、受信モニタ電流検出部１０７から出力されるデジタル信号（以下、基準コードと称する）は、「５０ｈ」であるとする。
【００６６】
メイン制御部１０８は、受信モニタ電流検出部１０７から出力されるデジタル信号と、基準コード（「５０ｈ」）と、を比較する。すなわち、メイン制御部１０８は、デジタル信号に示される受信部１０６による光信号の受信強度と設定強度Ｐ１とを比較する。
【００６７】
ここで、受信モニタ電流検出部１０７から出力されるデジタル信号が「４５ｈ」であったとする。メイン制御部１０８は、受信モニタ電流検出部１０７から出力されるデジタル信号が「４５ｈ」が基準コード「５０ｈ」よりも小さい値であるため、受信部１０６による光信号の受信強度がＰ１よりも小さいと判定する。メイン制御部１０８は、温度制御部１１０に対し、ＬＤ１０１の温度を下げるように通知する。温度制御部１１０は、温度調整部１０４に、例えば、所定値だけＬＤ１０１の温度を下げさせ、温度検出部１０５の出力から、ＬＤ１０１の温度が所定値だけ下がったことを確認すると、メイン制御部１０８に通知する。
【００６８】
メイン制御部１０８は、温度制御部１１０から通知を受けると、受信モニタ電流検出部１０７から出力されるデジタル信号を確認する。受信モニタ電流検出部１０７から出力されるデジタル信号が「３０ｈ」であったとする。この場合、ＬＤ１０１の温度を下げる前のデジタル信号「４０ｈ」よりも値が小さくなり、基準コード「５０ｈ」との差が広がっている。そのため、メイン制御部１０８は、温度制御部１１０に対し、ＬＤ１０１の温度を上げるように通知する。温度制御部１１０は、温度調整部１０４にＬＤ１０１の温度を所定値だけ上げさせ、温度検出部１０５の出力から、ＬＤ１０１の温度が所定値だけ上がったことを確認すると、メイン制御部１０８に通知する。
【００６９】
メイン制御部１０８は、温度制御部１１０から通知を受けると、受信モニタ電流検出部１０７から出力されるデジタル信号を確認する。受信モニタ電流検出部１０７から出力されるデジタル信号が「４５ｈ」であったとする。この場合、ＬＤ１０１の温度を下げる前のデジタル信号「４０ｈ」よりも値が大きくなり、基準コード「５０ｈ」との差が小さくなっている。そのため、メイン制御部１０８は、温度制御部１１０に対し、ＬＤ１０１の温度をさらに上げるように通知する。
【００７０】
メイン制御部１０８は、受信モニタ電流検出部１０７から出力されるデジタル信号と基準コード「５０ｈ」とが一致するまで、温度制御部１１０にＬＤ１０１の温度の増減を通知する。
【００７１】
受信モニタ電流検出部１０７から出力されるデジタル信号が基準コードと一致するということは、受信部１０６による光信号の受信強度がＰ１であることを示す。フィルタ４００は、波長がλｐとその前後のグリッド幅の波長の光信号だけを透過させる特性を有する。したがって、ＬＤ１０１から出力される光信号の波長が、設定波長λｐとなったことを示す。
【００７２】
メイン制御部１０８は、受信モニタ電流検出部１０７から出力されるデジタル信号が基準コードと一致した時点でのＬＤ１０１の温度を目標温度として温度調整部１１０に設定する。
【００７３】
このように、受信モニタ電流検出部１０７から出力されるデジタル信号と基準コードとを比較、すなわち、受信部１０６による光信号の受信強度と設定強度とを比較し、受信強度が設定強度に一致するまでＬＤ１０１の温度調整を行うことで、特許文献１に開示の技術と比較して、ＬＤの温度を変更する回数を少なくし、目標温度を設定するまでに要する時間を短縮することができる。
【００７４】
なお、異なる波長グリッドの波長を出力させる場合には、その波長グリッドの波長とその前後の波長グリッド幅の波長の光信号のみを透過させる特性を有するフィルタに変更すればよい。
【００７５】
図４に示すように、フィルタは光トランシーバの外部に設けられているため、フィルタの変更は容易である。また、フィルタを光トランシーバ１００の外部に設けることで、光トランシーバ１００の小型化を図ることができる。
【００７６】
このように本実施形態によれば、光トランシーバ１００は、波長調整を行う旨が入力されると、ＬＤ１０１から出力される光信号を予め定められた波長の光信号を透過させるフィルタ４００を介して受信部１０６により受信する。さらに、光トランシーバ１００は、光信号の受信強度と設定強度とを比較し、比較結果が光信号の受信強度と設定強度とが一致する旨を示すものとなるまでＬＤ１０１の温度調整を行い、光信号の受信強度が設定強度と一致する際の温度を目標温度として設定する。
【００７７】
そのため、ＬＤ１０１から出力された光信号が、所望の波長の光信号を透過させるフィルタを介して受信部１０６に受信されるようにするだけで、ＬＤ１０１の波長調整が可能となり、また、ＬＤ１０１の温度を変更する回数を少なくすることができ、目標温度を設定するまでに要する時間も短縮することができる。
【００７８】
上記の実施形態の一部または全部は、以下の付記のようにも記載されうるが、以下には限られない。
【００７９】
（付記１）
光信号の送受信を行う光トランシーバであって、
出力する光信号の波長が温度に応じて変動するレーザ光源と、
前記レーザ光源の温度調整を行う温度調整部と、
前記光信号を受信する受信部と、
予め定められた強度の光信号を前記レーザ光源に出力させるとともに、前記レーザ光源の温度が、前記レーザ光源から予め定められた波長の光信号が出力される温度である目標温度となるように、前記温度調整部に温度調整を行わせる制御部と、を有し、
前記制御部は、波長調整を行う旨が入力されると、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定することを特徴とする光トランシーバ。
【００８０】
（付記２）
付記１記載の光トランシーバにおいて、
前記フィルタは、前記光トランシーバの外部に設けられていることを特徴とする光トランシーバ。
【００８１】
（付記３）
出力する光信号の波長が温度に応じて変動するレーザ光源と、前記レーザ光源の温度調整を行う温度調整部と、を有し、予め定められた強度の光信号を前記レーザ光源から出力し、前記レーザ光源の温度が目標温度となるように前記温度調整部により温度調整を行う光トランシーバで行われる、前記レーザ光源から出力される光信号の波長調整方法であって、
受信部が、前記レーザ光源から出力される光信号を予め定められた波長の光信号を透過させるフィルタを介して受信し、
制御部が、前記受信部による光信号の受信強度と前記予め定められた強度とを比較し、比較結果が前記光信号の受信強度と前記予め定められた強度とが一致する旨を示すものとなるまで前記温度調整部に温度調整を行わせ、前記光信号の受信強度と前記予め定められた強度とが一致する際の前記レーザ光源の温度を前記目標温度として設定することを特徴とする波長調整方法。
【符号の説明】
【００８２】
１００    光トランシーバ
１０１    半導体レーザ（ＬＤ）
１０２    ＬＤ駆動部
１０３    モニタフォトダイオード（ＭＰＤ）
１０４    温度調整部
１０５    温度検出部
１０６    受信部
１０７    受信モニタ電流検出部
１０８    メイン制御部
１０９    パワー制御部
１１０    温度制御部
４００    フィルタ
４０１，４０２    光パッチコード
【図１】
2014017755.tif 000003
【図２】
2014017755.tif 000004
【図３】
2014017755.tif 000005
【図４】
2014017755.tif 000006
【図５】
2014017755.tif 000007
【図６】
2014017755.tif 000008
【図７】
2014017755.tif 000009
【図８】
2014017755.tif 000010
【図９】
2014017755.tif 000011